(57)【要約】【課題】固定棚およびスライド棚上に散らばったパン屑や惣菜屑等の屑を容易に落し込むことができ、さらに好ましくは、スライド棚を引出した状態のままで、固定棚の下面の清掃を簡単に行うことができるようにして、固定棚の下面を常時清潔に保つことができ、衛生管理を行い易くするとともに、スライド棚よりも下方に位置する架台の前面に配設した前部陳列棚に展示された商品を取り易くする。【解決手段】スライド棚４を、その上面が固定棚３の上面と平面的に連続するほぼ同一な面が維持される使用位置まで前方に引出される第１スライド位置Ｓ１と、この第１スライド位置から更に前方に引出され、かつ固定棚の上面と平面的に不連続となる、パン屑や惣菜屑等の屑を落し込み可能な非連続部（開口部１１）が形成される清掃位置まで引出される第２スライド位置Ｓ２とに選択的に引出し可能にする。【選択図】    図１
2011206417.tif 000002
【特許請求の範囲】
【請求項１】
架台の上面を形成する固定棚の下方に、前後方向に引出し可能にスライド棚を近接させて収容した商品陳列棚であって、
前記スライド棚を、その上面が前記固定棚の上面と平面的に連続するほぼ同一な面が維持される使用位置まで前方に引出される第１スライド位置と、この第１スライド位置から更に前方に引出され、かつ前記固定棚の上面と平面的に不連続となる、パン屑や惣菜屑等の屑を落し込み可能な非連続部が形成される清掃位置まで引出される第２スライド位置とに選択的に引出し可能にしたことを特徴とする商品陳列棚。
【請求項２】
前記非連続部を、前記スライド棚の後部に形成された開口部とした請求項１記載の商品陳列棚。
【請求項３】
前記開口部を、作業者の手が出入れ可能とされ、かつ前記固定棚における下面の清掃が可能とされる所定範囲に亘る大きさに形成した請求項２に記載の商品陳列棚。
【請求項４】
前記開口部を、前記スライド棚の第１スライド位置において、前記固定棚の前縁に沿って左右方向に延びるように位置させてなるとともに、固定棚の前縁より後方に向けて大きく切欠かれたものとした請求項２または３記載の商品陳列棚。
【請求項５】
前記スライド棚を、第１スライド位置から第２スライド位置に至る範囲において段階的に引出し可能とした請求項１〜４のいずれかに記載の商品陳列棚。
【請求項６】
前記スライド棚に、当該スライド棚よりも下方に位置する前記架台の前面に配置した前部陳列棚を取外し可能に連結することにより、この前部陳列棚を、前記スライド棚の引出し動作に連動させた請求項１〜５のいずれかに記載の商品陳列棚。
【発明の詳細な説明】
【技術分野】
【０００１】
本発明は、例えばスーパーマーケットやデパートの食品売場などで使用される商品陳列棚に関する。
【背景技術】
【０００２】
例えばベーカリーや惣菜売場等のセルフピッキング型の商品陳列棚において、架台の上面における天板を兼ねる固定棚上に散らばったパン屑や惣菜屑等の屑を掃除し処理する方法として、本出願人は、先に出願し、既に公開された特許文献１，２に記載の発明を提案している。
【０００３】
特許文献１に記載の発明は、固定棚の上面前部に左右方向を向く屑落し用の凹溝を形成し、この凹溝内に、固定棚上に散らばったパン屑や惣菜屑等の屑を落し込むことにより、固定棚上の掃除処理が簡便かつ効率よく行えるようにしている。
特許文献２に記載の発明は、固定棚の上面後部に左右方向に所定の間隔をもって複数の屑落し孔を開口させて形成し、これらの屑落し孔から固定棚上に散らばったパン屑や惣菜屑等の屑を架台内に落し込むとともに、この落し込まれた屑を、架台内に配置した屑受け箱内に収容することにより、固定棚上の掃除処理が簡便かつ効率よく行えるようにしている。
【０００４】
また従来、商品陳列棚としては、特許文献３に記載の発明のように、架台における固定棚の下方に、前後方向に引出し可能にスライド棚を近接させて収容するとともに、このスライド棚を、使用時に、所望の使用位置まで固定棚から前方へ引出すことによって、販売商品の展示スペースを拡大してなる構成を有するものが公知となっている。
【０００５】
しかし、上記した特許文献３に記載の発明では、使用位置にまで引出されたスライド棚を、固定棚の下方に収容する際に、固定棚とスライド棚との間の隙間から、スライド棚上に散らばったパン屑や惣菜屑等の屑が固定棚の下面側に巻込まれる虞があり、スライド棚の上面および固定棚の下面まで汚したまま、スライド棚が収容されることがある。
汚れたまま収容されたスライド棚は、固定棚の下方から再び引出して、その汚れた上面を雑巾等でもって美麗な外観に清掃した後、再び収容することによって清潔感を保つことができるが、固定棚の下面は、スライド棚を固定棚から取外す以外、雑巾等で簡単に清掃することができず、面倒な作業を要するばかりでなく、衛生管理が行い難いという問題がある。
【０００６】
また、スライド棚を備えた商品陳列棚において、スライド棚よりも下方に位置する架台の前面に、前部陳列棚を配置した構成を有するものでは、スライド棚を前方に引出した際に、前部陳列棚が、スライド棚の前端より奥まってしまい、そこに展示された商品が取りづらいという問題もあった。
【先行技術文献】
【特許文献】
【０００７】
【特許文献１】特開２００８−０２２９９０号公報
【特許文献２】特開２００８−０３７１８８号公報
【特許文献３】特開２００９−１１２６７０号公報
【発明の概要】
【発明が解決しようとする課題】
【０００８】
本発明は、上記の現状に鑑み、固定棚およびスライド棚上に散らばったパン屑や惣菜屑等の屑を容易に落し込むことができ、さらに好ましくは、スライド棚を引出した状態のままで、固定棚の下面の清掃を簡単に行うことができるようにして、固定棚の下面を常時清潔に保つことができ、衛生管理を行い易くするとともに、スライド棚よりも下方に位置する架台の前面に配設した前部陳列棚に展示された商品を取り易くすることができるようにした商品陳列棚を提供することを目的としている。
【課題を解決するための手段】
【０００９】
上記課題は、「特許請求の範囲」の欄における各請求項に記載するように、次のような構成からなる発明によって解決される。
（１）  架台の上面を形成する固定棚の下方に、前後方向に引出し可能にスライド棚を近接させて収容した商品陳列棚であって、前記スライド棚を、その上面が前記固定棚の上面と平面的に連続するほぼ同一な面が維持される使用位置まで前方に引出される第１スライド位置と、この第１スライド位置から更に前方に引出され、かつ前記固定棚の上面と平面的に不連続となる、パン屑や惣菜屑等の屑を落し込み可能な非連続部が形成される清掃位置まで引出される第２スライド位置とに選択的に引出し可能にする。
【００１０】
（２）  上記（１）項において、前記非連続部を、前記スライド棚の後部に形成された開口部とする。
【００１１】
（３）  上記（２）項において、前記開口部を、作業者の手が出入れ可能とされ、かつ前記固定棚における下面の清掃が可能とされる所定範囲に亘る大きさに形成する。
【００１２】
（４）  上記（２）項または（３）項において、前記開口部を、前記スライド棚の第１スライド位置において、前記固定棚の前縁に沿って左右方向に延びるように位置させてなるとともに、固定棚の前縁より後方に向けて大きく切欠かれたものとする。
【００１３】
（５）  上記（１）〜（４）項のいずれかにおいて、前記スライド棚を、第１スライド位置から第２スライド位置に至る範囲において段階的に引出し可能とする。
【００１４】
（６）  上記（１）〜（５）項のいずれかにおいて、前記スライド棚に、当該スライド棚よりも下方に位置する前記架台の前面に配置した前部陳列棚を取外し可能に連結することにより、この前部陳列棚を、前記スライド棚の引出し動作に連動させる。
【発明の効果】
【００１５】
本発明によると、次のような効果が奏せられる。
請求項１記載の発明によれば、スライド棚が第２スライド位置に引出された清掃位置において、固定棚およびスライド棚上に散らばったパン屑や惣菜屑等の屑を、非連続部に確実に落し込むことができる。
また、スライド棚が第１スライド位置に引出された使用位置においては、非連続部が固定棚から引出されないため、非連続部が外部に露呈することがなく、商品陳列時の見栄えを良くすることができる。
【００１６】
請求項２記載の発明によれば、非連続部を、スライド棚の後部に形成された開口部としてあるため、スライド棚が第２スライド位置に引出された清掃位置において、固定棚やスライド棚上に散らばったパン屑や惣菜屑等の屑を、スライド棚の下方に簡単にかつ容易に落し込ことができる。
【００１７】
請求項３記載の発明によれば、開口部を、作業者の手が出入れ可能とされ、かつ固定棚における下面の清掃が可能とされる所定範囲に亘る大きさに形成してあるため、スライド棚が第２スライド位置に引出された清掃位置において、固定棚における下面の清掃が、スライド棚を取外すことなく、簡単に行うことができる。
これにより、固定棚の下面を常時清潔に保つことができ、衛生管理を行い易くすることができる。
【００１８】
請求項４記載の発明によれば、開口部を、スライド棚の第１スライド位置において、固定棚の前縁に沿って左右方向に延びるように位置させてなるとともに、固定棚の前縁より後方に向けて切欠かれたものとしてあるため、スライド棚が第２スライド位置に引出された清掃位置において、固定棚における下面の清掃が、スライド棚を取外すことなく、より簡単に行うことができる。
【００１９】
請求項５記載の発明によれば、スライド棚を、第１スライド位置から第２スライド位置に至る範囲において段階的に引出し可能としてあるため、商品の展示スペースを簡単に調整することができる。
【００２０】
請求項６記載の発明によれば、スライド棚に、当該スライド棚よりも下方に位置する架台の前面に配置した前部陳列棚を取外し可能に連結することにより、この前部陳列棚を、スライド棚の引出し動作に連動させてあるため、スライド棚を前方に引出した際に、前部陳列棚も架台の前面から前方に移動し、前部陳列棚が奥まってしまうことがない。
これにより、前部陳列棚に展示された商品を取り易くすることができる。
発明の具体的な内容は、次の通りである。
【図面の簡単な説明】
【００２１】
【図１】本発明の一実施形態を示す商品陳列棚の斜視図である。（実施例）
【図２】同じく、商品陳列棚の拡大平面図である。
【図３】図２のIII−III線における拡大縦断側面図である。
【図４】固定棚とスライド棚との分解斜視図である。
【図５】図２のＶ−Ｖ線における要部拡大断面図である。
【図６】固定棚とスライド棚との引出し長さの調整機構を示す要部拡大斜視図である。
【図７】スライド棚の第１スライド位置における使用位置を示す斜視図である。
【図８】スライド棚の第２スライド位置における清掃位置を示す斜視図である。
【発明を実施するための形態】
【００２２】
以下、本発明の一実施形態を、添付図面を参照して説明する。
図１は、本発明の一実施形態を備える商品陳列棚の斜視図、図２は、同じく、商品陳列棚の拡大平面図、図３は、図２のIII−III線における拡大縦断側面図、図４は、固定棚とスライド棚との分解斜視図、図５は、図２のＶ−Ｖ線における要部拡大断面図、図６は、固定棚とスライド棚との引出し長さの調整機構を示す要部拡大斜視図である。
【実施例】
【００２３】
図１から図４に示すように、本実施形態の商品陳列棚１は、平面視矩形状をなす箱状の架台２と、この架台２上面の天板を形成する固定棚３と、この固定棚３の下方に前後方向に引出し可能に配設されるスライド棚４と、このスライド棚４よりも下方に位置する前記架台２の前面２ａに配置した前部陳列棚５とを備えている。
【００２４】
架台２の上面後部には、前面に展示効果を高める鏡板６ａを取付けた背面板６が起立させて設けられているとともに、その左右の側部には、例えばポリカーボネート等からなる透明な側面パネル７が、それぞれ起立させて設けられている。
すなわち、これら背面板６及び左右の側面パネル７をもって背面及び側面が囲繞された固定棚３の上面３ａを、前方および上方が開放する商品の展示空間８としている。
なお、この展示空間８には、背面板６の上端から前方に向かって延設されるアクリルやポリカーボネート等からなる透明なフード（図示せず）や、このフードを介して照明器具等が必要に応じて取付けられるようになっている。
【００２５】
スライド棚４は、図５に示すように、その左右の側端に設けた前後方向に延びる１対のスライドレール部材９を、固定棚３の下面３ｂにおける左右の側端に設けた前後方向に延びる１対のガイドレール部材１０に前方から後方に向けて摺動自在に挿入して入れ子構造とするとともに、スライド棚４の上面４ａと固定棚３の上面３ａとが近接しうるように収容して、固定棚３の下面３ｂから前後方向に引出し可能になっている。
スライド棚４の上面４ａは、前半部が平坦な面に形成されているとともに、その後半部には、左右に区画された１対の開口部１１が形成されている。
【００２６】
前部陳列棚５は、前記架台２の前面２ａに左右方向に沿って形成された収容空間１２内に配置されるようになっているとともに、その左右の両端は、１対のブラケット１３を介して、前記スライド棚４における下面４ｂの前端側に吊支状態で取外し可能に連結されている。
これにより、前部陳列棚５を、スライド棚４の引出しまたは収容動作に連動して、前記収容空間１２内から離脱または収容しうるように、前後方向に移動可能にすることができる。
【００２７】
スライド棚４の左右の側端には、図２〜図６に示すように、前後方向に延びる１対のハンドル１４が、前後方向に間隔を存して設けた複数の軸保持金具１５によって取付けられている。
これら左右のハンドル１４における前後の両端部１４ａ，１４ｂは、互いに同方向にＬ字状に折曲させて形成することにより、それらの自重により常に下方を向くように、ハンドル１４の中心軸回りに回転可能になっている。
これにより、ハンドル１４は、その前端部１４ａをハンドル操作部として回転操作することにより、係止部となる後端部１４ｂが、架台２内における左右の内側壁面上部の前後方向に沿って固着されたストッパ部材１６に係脱しうるようになっている。
【００２８】
ストッパ部材１６は、図６に示すように、架台２内の内側壁面に固定される垂直な取付片１６ａと、この取付片１６ａの上端から内方に向けて延出する水平片１６ｂとより形成してなるとともに、前記水平片１６ｂには、前後方向に所定の間隔を存して複数の係止溝１７が、それぞれ内方に向けて開口させて設けられている。
これらの係止溝１７には、前記ハンドル１４の後端部１４ｂが、垂下状態において係止されるようになっているとともに、ハンドル１４の前端部１４ａを時計回りに回動操作することにより、図６に想像線で示すように、ほぼ水平状態に回動して、前記係止溝１７との係止状態から開放されるようにしている。これにより、スライド棚４を前後方向に移動させることができる。
また、ほぼ水平状態にあるハンドル１４の後端部１４ｂは、スライド棚４の所望の引出し位置において、ハンドル１４における前端部１４ａの回動操作を開放することにより、図６に実線矢印で示すように、自重により垂下状態に回動して復帰し、前記係止溝１７の一つに選択的に係止されるようになっている。
これにより、スライド棚４を、段階的に引出し可能にすることができるとともに、スライド棚４における上面４ａの使用スペース、すなわち固定棚３の上面３ａを含む展示スペースの調整が可能な引出し長さの調整機構を構成している。
【００２９】
図７は、スライド棚の第１スライド位置における使用位置を示す斜視図、図８は、スライド棚の第２スライド位置における清掃位置を示す斜視図である。
【００３０】
本実施形態の商品陳列棚１では、図７に示すように、スライド棚４の上面４ａの前半部が前方に引出される使用位置までを第１スライド位置Ｓ１としている。
また、図８に示すように、前記第１スライド位置Ｓ１から更に後半部の途上が前方に引出される清掃位置までを、第２スライド位置Ｓ２としている。
これにより、スライド棚４の引出し位置を、固定棚３およびスライド棚４上の商品の展示や清掃に応じて、第１スライド位置Ｓ１から第２スライド位置Ｓ２に至る範囲において、段階的に選択可能になっている。
【００３１】
すなわち、第１スライド位置Ｓ１では、スライド棚４の上面４ａが固定棚３の上面３ａと平面的に連続するほぼ同一な平坦な面を維持させることにより、商品の展示を行うことができる。
【００３２】
第２スライド位置Ｓ２では、スライド棚４の後半部に形成した左右の開口部１１が露呈されて、固定棚３の上面３ａと平面的に不連続となる非連続部が形成される位置において、固定棚３の上面３ａおよびスライド棚４の上面４ａに散らばったパン屑や惣菜屑等の屑を掻き集めて、前記開口部１１に落し込むことにより、固定棚３およびスライド棚４上の清掃を行うことができる。
【００３３】
なお、上記実施形態において、スライド棚４の第１スライド位置ＳＩにおける使用位置では、スライド棚４の後半部に形成した開口部１１を外部に露呈することなく固定棚３の前縁３ｃに沿って左右方向に延びるように位置させるとともに、固定棚３の前縁３ｃより後方に向けて大きく切欠かれたものとなるように形成されている。
また、スライド棚４の第１スライド位置ＳＩから更に前方に引出された第２スライド位置Ｓ２における清掃位置では、固定棚３やスライド棚４上に散らばったパン屑や惣菜屑等の屑を落し込んだ後の開口部１１から、固定棚３の下面３ｂに向けて作業者の手が出入れ可能とされている。
すなわち、第２スライド位置Ｓ２における清掃位置において露呈するスライド棚４の開口部１１は、固定棚３における下面３ｂの清掃が可能とされる所定範囲に亘る大きさに形成してある。この場合、スライド棚４を第２スライド位置Ｓ２から更に前方に引出すことにより、作業者の手が固定棚３の下面３ｂの奥まで差入れることができ、固定棚３における下面３ｂの清掃が、より一層容易となる。
【００３４】
スライド棚４を架台２から取外す場合には、図８に想像線で示すように、スライド棚４を第２スライド位置Ｓ２から更に前方に向けて引出すとともに、図示しないスライド棚４のスライドレール部材９と架台２内のガイドレール部材１０とのストッパ機構を解除することにより行われる。
【産業上の利用可能性】
【００３５】
上記実施形態は、本発明を商品陳列棚に適用した例を示すものであるが、本発明は、これに限られるものではなく、例えば机やテーブルにおける天板等にも適用することができる。
【符号の説明】
【００３６】
１    商品陳列棚
２    架台
２ａ  前面
３    固定棚
３ａ  上面
３ｂ  下面
３ｃ  前縁
４    スライド棚
４ａ  上面
４ｂ  下面
５    前部陳列棚
６    背面板
６ａ  鏡板
７    側面パネル
８    展示空間
９    スライドレール部材
１０  ガイドレール部材
１１  開口部
１２  収容空間
１３  ブラケット
１４  ハンドル
１４ａ  前端部（ハンドル操作部）
１４ｂ  後端部（係止部）
１５  固定金具
１６  ストッパ部材
１６ａ  取付片
１６ｂ  水平片
１７  係止溝
Ｓ１  第１スライド位置
Ｓ２  第２スライド位置
【図１】
2011206417.tif 000003
【図２】
2011206417.tif 000004
【図３】
2011206417.tif 000005
【図４】
2011206417.tif 000006
【図５】
2011206417.tif 000007
【図６】
2011206417.tif 000008
【図７】
2011206417.tif 000009
【図８】
2011206417.tif 000010